(57)【要約】【課題】  回転および押圧操作可能なダイアルを備えた入力装置において、押圧操作時の誤操作を防止する。【解決手段】  回転操作および一方向へ押圧操作可能なダイアル２０と、ダイアル２０への入力に応じた信号を出力するタクトスイッチ６０および光センサ７０と、を備えた入力装置１０において、ダイアル２０の押圧操作時に、ダイアル２０の回転を規制する弾性片３２を設けた。【選択図】      図１
2005158628.tif 000002
【特許請求の範囲】
【請求項１】
回転操作および一方向へ押圧操作可能な操作部と、
この操作部への入力に応じた信号を出力する制御手段と、
を備えた入力装置において、
前記操作部の押圧操作時に、操作部の回転を規制する回転規制手段を設けたことを特徴とする入力装置。
【請求項２】
請求項１に記載の入力装置において、
前記回転規制手段は、
前記操作部と一体に回転する被係止部と、
前記操作部の押圧操作時に、前記被係止部と係合する係止部と、
を備えることを特徴とする入力装置。
【請求項３】
請求項２に記載の入力装置において、
前記被係止部の周方向所定間隔毎に凹部を形成し、
この凹部と嵌合する嵌合凸部と、この嵌合凸部を前記凹部の底面方向に付勢する付勢部とを備え、前記操作部の回転操作時にクリック感を発生させるクリック感発生手段を設けたことを特徴とする入力装置。
【請求項４】
請求項３に記載の入力装置において、
前記付勢部を板ばねとし、
前記回転規制手段は、前記操作部の押圧操作時に板ばねと接触し、板ばねの弾性変形を規制する鈎部を備えることを特徴とする入力装置。
【請求項５】
請求項１に記載の入力装置において、
前記回転規制手段は、
前記操作部の押圧操作方向と反対側から操作部に摺接する摺接部と、
この摺接部を操作部の押圧操作方向と反対方向へ付勢する付勢部と、
を備えることを特徴とした入力装置。
【発明の詳細な説明】
【技術分野】
【０００１】
本発明は、回転および押圧操作可能なダイアルを備えた入力装置の技術分野に属する。
【背景技術】
【０００２】
従来、回転および押圧操作が可能なダイアルを備えた入力装置が知られている。この入力装置は、例えば、カーナビゲーション装置の入力手段として用いられ、回転操作によりナビゲーション画面のメニューをスクロールさせ、押圧操作により所望のメニュー項目を選択するよう構成されている（例えば、特許文献１参照。）。
【特許文献１】特開２０００−１７３４０５号公報
【発明の開示】
【発明が解決しようとする課題】
【０００３】
しかしながら、上記従来技術にあっては、押圧操作時にもダイアルが回転操作可能であるため、誤操作を招くという問題があった。
【０００４】
本発明は、上記問題に着目してなされたもので、その目的とするところは、押圧操作時の誤操作を防止できる入力装置を提供することにある。
【課題を解決するための手段】
【０００５】
上述の目的を達成するため、本発明の入力装置では、回転操作および一方向へ押圧操作可能な操作部と、この操作部への入力に応じた信号を出力する制御手段と、を備えた入力装置において、前記操作部の押圧操作時に、操作部の回転を規制する回転規制手段を設けた。
【発明の効果】
【０００６】
よって、本発明にあっては、押圧操作時、回転規制手段により操作部の回転が規制されるため、誤操作を防止して所望の入力結果が得られる。
【発明を実施するための最良の形態】
【０００７】
以下に、本発明を実施するための最良の形態を、実施例１、実施例２、および実施例３に基づいて説明する。
【実施例１】
【０００８】
まず、構成を説明する。
図１は実施例１の入力装置１０の斜視図である。
前記入力装置１０は、ダイアル２０（操作部）、ホルダ３０、ハウジング４０、基板５０を主要な構成としている。
【０００９】
前記ダイアル２０は円筒形の回転体であり、その一部がホルダ３０の開口部から突出した状態で、ホルダ３０に回動可能に支持されている。前記ホルダ３０は、ダイアル２０を十分格納できる大きさに形成され、ハウジング４０に対し、図中上下方向移動可能に設けられている。
【００１０】
前記ハウジング４０は、ホルダ３０をはめて固定する開口筺体であり、ホルダ３０はその開口面をハウジング４０へのはめ込み面とし、ハウジング４０にはめ込まれて完全に没入する。
【００１１】
前記基板は、ハウジング４０のホルダ３０はめ込み開口部と反対側に固定されている。
【００１２】
図２は、入力装置１０の分解斜視図である。
前記ダイアル２０は、回転軸２１と、支持部材２２と、入力部２３と、歯車形状部（被係止部）２４とを備えている。入力部２３は、中空円筒状に形成され、その内周面が、回転軸２１から放射状に固定された複数の支持部材２２と連結している。前記歯車形状部２４は、回転軸２１の一方の端部に固定され、回転時には回転軸２１と連動して回転する。
【００１３】
前記ホルダ３０は、軸支持孔３１と、弾性片３２（クリック感発生手段）と、スイッチプッシュ片３３を備えている。前記軸支持孔３１は、ホルダ３０の両長辺側側面にそれぞれ設けられ、ダイアル２０の回転軸２１がはめ込まれている。
【００１４】
前記弾性片３２は、例えば、可撓性を有する合成樹脂または金属で形成され、一端がホルダ３０の長辺側側面内周側に固定されている。この弾性片３２の先端には、ダイアル２０の歯車形状部２４と係合する突起３２ａ（係止部）が形成されている。
【００１５】
前記スイッチプッシュ片３３は、ホルダ３０の外側面に設けられた丸棒であり、ホルダ３０と一体成形されている。このスイッチプッシュ片３３は、ダイアル２０の押圧操作に伴いホルダ３０が下降したとき、後述する基板５０上のタクトスイッチ６０を押下可能な長さに設定されている。
【００１６】
前記ハウジング４０は、中空の筐体であり、その内周には、ハウジング４０の面位置よりも低く形成された段差部４２が設けられている。この段差部４２の上面側には、ホルダ３０の下降時に弾性片の側面に接し、弾性片３２の弾性変形量を制約する鈎状のロック片（鈎部）４１が設けられている。
【００１７】
前記基板５０上には、上述したタクトスイッチ６０と、光センサ７０が設けられている。タクトスイッチ６０は、ダイアル２０の押圧操作時にホルダ３０のスイッチプッシュ片３３により押下されてダイアル２０の押圧操作を検出する。光センサ７０は、支持部材２２に光を照射することでダイアル２０の回転を検出する。
【００１８】
次に、作用を説明する。
[ダイアル回転操作]
図３は、入力装置１０の回転操作時における断面図である。
【００１９】
前記入力装置１０の歯車形状部２４には弾性片３２の突起３２ａ（嵌合凸部）が嵌合している。ダイアル２０の入力部２３に回転入力を与えると、歯車形状部２４も一体となって回転しようとする。
【００２０】
このとき、前記弾性片３２の突起３２ａが歯車形状部２４の凹部２４ａに嵌合しているため、操作者の回転操作力が弱いうちはダイアル２０は回転しない。
【００２１】
操作者の回転操作力が強くなると、歯車形状部２４が回転しようとする力に押され、弾性片３２が歯車形状部２４と反対側に弾性変形し、突起３２ａが凹部２４ａから脱出し、凸部２４ｂを超えて次の凹部２４ａに嵌合し、ダイアル２０が所定角度回転する。
【００２２】
前記突起３２ａが凹部２４ａを脱出し凸部２４ｂを超える際に弾性片３２が弾性変形し、ダイアル２０の回転に対する抵抗が生じる。この抵抗が操作感として操作者に伝わり、操作メニューをスクロールするごとにクリック感となって操作者に感じられる。
【００２３】
［押圧操作時におけるダイアル回転規制］
図４は、入力装置１０の押圧操作時における断面図である。
操作者が前記ダイアル２０を押圧操作すると、ダイアル２０とそれを支持するホルダ３０がともにハウジング４０内に沈み込む。
【００２４】
ホルダ３０の沈み込みにより、前記ホルダ３０に固定されている弾性片３２の弾性変形部である弾性部３２ｂ（付勢部）は、歯車形状部２４の反対面でロック片４１の鈎部４１ａと係合する。
【００２５】
このとき、回転時には歯車形状部２４の反対側に曲がって弾性変形していた弾性片３２は、鈎部４１ａにより弾性変形を規制され、ダイアル２０の回転に伴う歯車形状部２４の回転力によっても弾性変形しない。
【００２６】
これにより、操作者がダイアル２０に回転力を与えても、弾性片３２が弾性変形を規制されているため、弾性片３２の突起３２ａは歯車形状部２４の凹部２４ａを脱出することができず、ダイアル２０は回転しない。
【００２７】
次に効果を説明する。
実施例１の入力装置１０にあっては、次に列挙する効果を得ることができる。
【００２８】
(1) ダイアル２０の押圧操作時に、ダイアル２０の回転を規制する歯車形状部２４と弾性片３２とロック片４１からなる回転規制手段を設けたことで、押圧操作時にはダイアル２０の回転を止めることができ、押圧操作時のダイアル２０の回転に起因する誤入力を防止できる。
【００２９】
(2) ダイアル２０とともに回転する歯車形状部２４を、ホルダ３０に設けた弾性片３２の突起３２ａと係合させることにより、歯車形状部２４の回転を規制することができ、もってダイアル２０の回転を規制することができる。
【００３０】
(3) 被係止部として周方向に所定間隔毎に凹部を形成した歯車形状部２４を設け、弾性片３２の弾性力によって突起３２ａを歯車形状部２４に付勢することで、歯車形状部２４の回転時においても突起３２ａを常に歯車形状部２４に付勢でき、ダイアル２０の回転時にクリック感を与えることが可能となる。
【００３１】
(4) ダイアル２０の押圧操作時に弾性部３２ｂと接触するロック片４１を設けたことで、押圧操作時のダイアル２０の回転を確実に防止できる。また、クリック感の発生と回転の規制とを一部共用部材（歯車形状部２４、弾性片３２）を用いて達成できる。
【実施例２】
【００３２】
図５は、実施例２の入力装置１０ａを示す断面図であり、入力装置１０ａは、回転規制手段として、ロック片４１に代えてリブ４３を用いた点で実施例１と異なる。
【００３３】
図５において、リブ４３は長板の両端を直角に曲げて形成されたコの字形の形状であり、ハウジング４０の段差部４２上に固定されている。
【００３４】
このリブ４３の両端曲げ部分の壁部４３ａ、４３ｂは、互いまでの距離がダイアル２０の歯車形状部２４の直径よりも小さく設けられており、ホルダ３０の押し下げ時、両壁部４３ａ、４３ｂが歯車形状部２４と係合し、歯車形状部２４の回転が両壁部４３ａ、４３ｂに規制され、ダイアル２０の回転が規制される。
【００３５】
次に、作用を説明する。
回転操作時においては実施例１と同様であるため、説明を省略する。
【００３６】
図６は、実施例２の押圧操作時における入力装置１０ａの断面図である。
運転者が前記ダイアル２０を押圧操作すると、実施例１と同様にダイアル２０とホルダ３０がともにハウジング４０内に沈み込む。
【００３７】
前記歯車形状部２４はダイアル２０と一体となって沈み込み、ハウジング４０に固定されているリブ４３と係合する。
【００３８】
これにより、操作者がダイアル２０に回転力を与えても、リブ４３の壁部４３ａ、４３ｂが歯車形状部２４の凸部２４ｂと係合して歯車形状部２４の回転を規制するため、ダイアル２０は回転しない。
【００３９】
次に効果を説明する。
実施例２の入力装置１０にあっては、次に列挙する効果を得ることができる。
【００４０】
(5) 実施例１のロック片４１にかえてリブ４３を用い、リブ４３の壁部４３４３ａ、４３ｂが歯車形状部２４の凸部２４ｂと係合することにより、歯車形状部２４の回転を直接規制することができ、押圧操作時にダイアルが回転することで生じる誤入力をより確実に防止できる。
【００４１】
また、歯車形状部２４の回転を直接規制するため弾性片３２の弾性変形を規制することがないため、弾性片３２の耐久性向上も見込める。
【実施例３】
【００４２】
図７は実施例３の入力装置１０ｂを示す縦断面図であり、図８は実施例３の入力装置１０ｂの押圧操作時における縦断面図である。
【００４３】
実施例３の入力装置１０ｂは、回転阻止部材として、摩擦力を用いてダイアル２０の回転を規制するキャリパ（摺接部）８０を用いた点で実施例１、２と異なる。
【００４４】
キャリパ８０は、基板５０上に設けられ、ダイアル２０との接触面にラバー８１等が貼附され、摩擦係数を高めて回転を規制している。このキャリパ８０は、スプリング８２によりダイアル２０側（図中上方）に付勢され、常にダイアル２０と接触している。回転操作時においては、スプリング８２の付勢力が弱く、キャリパ８０とダイアル２０との摺動抵抗はほとんどない。
【００４５】
次に、作用を説明する。
【００４６】
図７において、回転操作時には、歯車形状部２４と弾性片３２により操作者にクリック感を与えることができる。また、キャリパ８０はスプリング８２により常にダイアル２０と摺接しているが、ダイアル２０を押圧していなければ、ダイアル２０の回転に対する摩擦抵抗はほとんど発生しないため、ダイアル２０の回転操作時にはスムーズな操作感を得ることができる。
【００４７】
押圧操作時には、図８に示すように、回転操作時よりもスプリング８２の弾発力が増大するため、摩擦力を増大させてダイアル２０の回転を防止できる。
【００４８】
（他の実施例）
以上、本発明を実施するための最良の形態を、実施例１〜３に基づいて説明してきたが、本発明の具体的な構成は実施例１〜３に限定されるものではない。
【００４９】
例えば、実施例１では、弾性片３２を直方体金属の一部に突起３２ａを設けた形状としたが、弾性片は、回転操作時には弾性変形して操作者にクリック感を与え、押圧操作時には歯車形状部２４に係合して回転を規制する部材であれば、他のものでもよい。たとえば、金属平板を曲げ加工した板ばねを用いてもよい。
【００５０】
実施例１では、被係止部として歯車形状部２４を用いたが、回転操作時には弾性片３２を弾性変形させてクリック感を作出し、押圧操作時には弾性片３２により回転を規制される形状のものであればよい。たとえば、歯車形状を正六角形とすれば、歯車形状よりも形状が単純なため、コスト面でも有利である。
【００５１】
実施例２では、リブ４３により歯車形状部２４の回転を規制したが、図９、図１０の入力装置１０ｃのように、平板上に突起を設けた係合片４４を用いて歯車形状部２４の凹部２４ａに係合させ、回転を規制してもよい。
【図面の簡単な説明】
【００５２】
【図１】実施例１の入力装置の斜視図である。
【図２】実施例１の入力装置の分解斜視図である。
【図３】実施例１の入力装置の回転操作時における断面図である。
【図４】実施例１の入力装置の押圧操作時における断面図である。
【図５】実施例２の入力装置の回転操作時における断面図である。
【図６】実施例２の入力装置の押圧操作時における断面図である。
【図７】実施例３の摩擦力を用いてダイアル回転を規制する入力装置の回転操作時における断面図である。
【図８】実施例３の摩擦力を用いてダイアル回転を規制する入力装置の押圧操作時における断面図である。
【図９】ダイアル回転の規制に係合片を用いた入力装置の回転操作時における断面図である。
【図１０】ダイアル回転の規制に係合片を用いた入力装置の押圧操作時における断面図である。
【符号の説明】
【００５３】
１０  入力装置
２０  ダイアル
２１  回転軸
２２  支持部材
２３  入力部
２４  歯車形状部
２４ａ  凹部
２４ｂ  凸部
３０  ホルダ
３１  軸支持孔
３２  弾性片
３２ａ  突起
３２ｂ  弾性部
３３  スイッチプッシュ片
４０  ハウジング
４１  ロック片
４１ａ  鈎部
４２  段差部
４３  リブ
４３ａ  左壁部
４３ｂ  右壁部
５０  基板
６０  タクトスイッチ
７０  光センサ
８０  キャリパ
８１  ラバー
８２  スプリング
【図１】
2005158628.tif 000003
【図２】
2005158628.tif 000004
【図３】
2005158628.tif 000005
【図４】
2005158628.tif 000006
【図５】
2005158628.tif 000007
【図６】
2005158628.tif 000008
【図７】
2005158628.tif 000009
【図８】
2005158628.tif 000010
【図９】
2005158628.tif 000011
【図１０】
2005158628.tif 000012